(57)【要約】【課題】低速手摺及び高速手摺の両者の相互隣接部において上記両者の掴み替え動作を乗客に積極的に促す中間高速乗客コンベヤーの移動手摺装置を得る。【解決手段】乗降口２から踏板３に乗り込んだ乗客は当初に低速手摺６を掴んで低速移動し、次いで高速手摺７に掴み替えて高速移動する。そして、低速手摺６及び高速手摺７の両者の相互隣接部に設けた注意喚起体８により、低速手摺６を掴んで移動する乗客に対して注意喚起体８の視覚的注意喚起機能によって、手摺の掴み替えを要することを視覚的に呼びかける。これにより、上記両者の相互隣接部において踏板３上の乗客に手摺の掴み替え動作を積極的に促すことができ、乗客が低速手摺６を掴み続けて上記両者の開口部に手が引き込まれる等の不具合の発生を未然に防止する【選択図】        図１
2004203560.tif 000002
【特許請求の範囲】
【請求項１】
主枠の幅方向における縁部に設けられて長手に沿って立設され上記主枠の乗降口寄りに配置された乗降口部欄干を移動する低速手摺と、上記主枠の長手中間に設けられて上記乗降口部欄干と直列状態に配置された中間欄干を移動する高速手摺と、上記低速手摺及び高速手摺の相互隣接部に設けられて視覚的注意喚起機能を有する注意喚起体とを備えた中間高速乗客コンベヤーの移動手摺装置。
【請求項２】
注意喚起体を、注意喚起色によって着色されて視覚的注意喚起機能が形成されたものとしたことを特徴とする請求項１記載の中間高速乗客コンベヤーの移動手摺装置。
【請求項３】
注意喚起体を、固定体の上面に表意的造形手段により表現された注意表示によって視覚的注意喚起機能が形成されたものとしたことを特徴とする請求項１記載の中間高速乗客コンベヤーの移動手摺装置。
【請求項４】
注意喚起体を、透光材料製の固定体及びこの固定体を照明する光源体によって視覚的注意喚起機能が形成されたものとしたことを特徴とする請求項１記載の中間高速乗客コンベヤーの移動手摺装置。
【発明の詳細な説明】
【０００１】
【発明の属する技術分野】
この発明は、エスカレーター又は移動歩道であって主枠の長手中間において踏板が乗降口寄り部分よりも高速で移動する中間高速乗客コンベヤーの移動手摺装置に関する。
【０００２】
【従来の技術】
主枠の長手中間において踏板が乗降口寄り部分よりも高速で移動する従来の中間高速乗客コンベヤーにおいて、乗降口寄りには乗降口寄りにおける踏板の移動速度に対応した低速手摺が設けられ、また主枠の長手中間には長手中間における踏板の移動速度に対応した高速手摺が設けられる。このような移動手摺装置において、低速手摺及び高速手摺の両者の相互隣接部には開口部が形成され、また乗降口から踏板に乗り込んだ乗客は当初に低速手摺を掴んで低速移動し、次いで高速手摺に掴み替えて高速移動によって搬送される。
【０００３】
前述の移動手摺装置において、乗客が上記両者の隣接部に気付かず低速手摺を掴み続けた場合に上記両者の開口部に手が引き込まれたり、バランスを崩したりする恐れがある。このような不具合の対策として、従来の中間高速乗客コンベヤーの移動手摺装置では上記両者の開口部に固定手摺を設けて、上記両者と固定手摺の間に形成された櫛歯状のかみ合わせ形態によるすき取り機構を設けたり、ブラシを設けたりして、上記両者の開口部に手が引き込まれることを防ぐように構成にしている。（例えば、特許文献１参照）。
【０００４】
【特許文献  １】
特開平８−２０８１６９号公報（第３頁、図１）
【０００５】
【発明が解決しようとする課題】
従来の中間高速乗客コンベヤーの移動手摺装置では、乗客が手を固定手摺に接触すること自体を防ぐことができず、低速手摺及び高速手摺の両者と固定手摺の間に乗客の指等が挟まれる不具合を防ぐ対策として不十分であるという問題点があった。
【０００６】
この発明は、かかる問題点を解消するためになされたものであり、低速手摺及び高速手摺の両者の相互隣接部において上記両者の掴み替え動作を乗客に積極的に促す中間高速乗客コンベヤーの移動手摺装置を得ることを目的とする。
【０００７】
【課題を解決するための手段】
この発明に係る中間高速乗客コンベヤーの移動手摺装置においては、主枠の幅方向における縁部に設けられて長手に沿って立設され主枠の乗降口寄りに配置された乗降口部欄干を移動する低速手摺と、主枠の長手中間に設けられて乗降口部欄干と直列状態に配置された中間欄干を移動する高速手摺と、低速手摺及び高速手摺の相互隣接部に設けられて視覚的注意喚起機能を有する注意喚起体とが設けられる。
【０００８】
【発明の実施の形態】
実施の形態１．
図１〜図３は、この発明の実施の形態の一例を示す図で、図１は移動歩道からなる乗客コンベヤーを概念的に示す平面図、図２は図１の正面図、図３は図２のＡ部拡大図である。図において、乗客コンベヤーの主枠１の長手両端部にそれぞれ乗降口２が設けられる。そして、多数が無端状に連結された踏板３が主枠１内を循環移動し、乗降口２寄りでは踏板３が相互に近接した状態に配置されて低速移動し、また主枠１の長手中間では踏板３が相互に離れて低速移動時よりも高速となって高速移動する。
【０００９】
また、主枠１の幅方向における縁部に設けられて長手に沿って立設され主枠１の乗降口２寄りに乗降口部欄干４が設けられ、また主枠１の長手中間には乗降口部欄干４に対して直列状態に配置された中間欄干５が設けられる。そして、乗降口部欄干４の外周に係合されて踏板３の低速移動速度に対応した速度で移動する低速手摺６が設けられる。また、中間欄干５の外周に係合されて踏板３の高速移動速度に対応した速度で移動する高速手摺７が設けられる。
【００１０】
また、注意喚起体８が固定体によって形成されて欄干の要部をなすフレーム９から立設された支柱１０の上端に装着され、低速手摺６及び高速手摺７の相互隣接部に形成された開口部に配置される。そして、注意喚起体８は例えば黄、オレンジ、赤等であって目立つ色、すなわち注意喚起色によって着色されて視覚的注意喚起機能が形成される。
【００１１】
上記のように構成された中間高速乗客コンベヤーの移動手摺装置において、中間高速乗客コンベヤーに乗降口２から踏板３に乗り込んだ乗客は当初に低速手摺６を掴んで低速移動し、次いで高速手摺７に掴み替えて高速移動して搬送される。そして、低速手摺６及び高速手摺７の両者の相互隣接部に注意喚起体８が配置されているので、例えば低速手摺６を掴んで移動する乗客に対して注意喚起体８の視覚的注意喚起機能によって、手摺の掴み替え位置に到達して手摺の掴み替えを要することが視覚的に呼びかけられる。
【００１２】
これにより、上記両者の相互隣接部において踏板３上の乗客に手摺の掴み替えを積極的に促すことができ、乗客が上記両者の相互隣接部に気付かず低速手摺６又は高速手摺７を掴み続けて上記両者の開口部に手が引き込まれたり、バランスを崩したりする不具合の発生を未然に防止することができる。
【００１３】
実施の形態２．
図４は、この発明の他の実施の形態の一例を示す図で、前述の図３の平面図に相当する図である。なお、図４の他は前述の図１〜図３と同様に中間高速乗客コンベヤーの移動手摺装置が構成されている。図において、図１〜図３と同符号は相当部分を示し、低速手摺６及び高速手摺７の両者の相互隣接部に固定体１１が配置されて、前述の注意喚起体８と同様に主枠１に固定される。そして、固定体１１の上面に表意的造形手段により表現された注意表示からなる注意喚起体１２が設けられる。
【００１４】
上記のように構成された中間高速乗客コンベヤーの移動手摺装置においても、上記両者の相互隣接部に注意喚起体１２が配置されているので、低速手摺６を掴んで移動する乗客に対して注意喚起体１２の視覚的注意喚起機能によって、手摺の掴み替え位置に到達して手摺の掴み替えを要することが視覚的に呼びかけられる。したがって、詳細な説明を省略するが図４の実施の形態においても図１〜図３の実施の形態と同様な作用が得られる。
【００１５】
実施の形態３．
図５も、この発明の他の実施の形態の一例を示す図で、前述の図３相当図である。なお、図５の他は前述の図１〜図３と同様に中間高速乗客コンベヤーの移動手摺装置が構成されている。図において、図１〜図３と同符号は相当部分を示し、低速手摺６及び高速手摺７の両者の相互隣接部に注意喚起体１３が設けられる。そして、注意喚起体１３は透光材料製の固定体１４及び固定体１４を照明する光源体１５によって構成される。
【００１６】
上記のように構成された中間高速乗客コンベヤーの移動手摺装置においても、上記両者の相互隣接部に注意喚起体１３が配置されているので、低速手摺６を掴んで移動する乗客に対して注意喚起体１３の視覚的注意喚起機能によって、手摺の掴み替え位置に到達して手摺の掴み替えを要することが視覚的に呼びかけられる。したがって、詳細な説明を省略するが図５の実施の形態においても図１〜図３の実施の形態と同様な作用が得られる。
【００１７】
なお、固定体１４及び光源体１５の少なくとも一方を、例えば黄、オレンジ、赤等であって目立つ色、すなわち注意喚起色によって発光して視覚的注意喚起機能を形成する。これによって、一層上記両者の相互隣接部において踏板３上の乗客に手摺の掴み替えを積極的に呼びかけることができる。また、光源体１５を繰り返して点滅することによっても踏板３上の乗客に手摺の掴み替えを積極的に呼びかけることができる。これらの実施の形態によって、図１〜図３の実施の形態と同様な作用が得られると共に、この作用を一層有効化することができる。
【００１８】
【発明の効果】
この発明は以上説明したように、主枠の幅方向における縁部に設けられて長手に沿って立設され主枠の乗降口寄りに配置された乗降口部欄干を移動する低速手摺と、主枠の長手中間に設けられて乗降口部欄干と直列状態に配置された中間欄干を移動する高速手摺と、低速手摺及び高速手摺の相互隣接部に設けられて視覚的注意喚起機能を有する注意喚起体とを設けたものである。
【００１９】
これによって、中間高速乗客コンベヤーに乗降口から踏板に乗り込んだ乗客は当初に低速手摺を掴んで低速移動し、次いで高速手摺に掴み替えて高速移動して搬送される。そして、低速手摺及び高速手摺の両者の相互隣接部に注意喚起体が配置されているので、例えば低速手摺を掴んで移動する乗客に対して注意喚起体の視覚的注意喚起機能によって、手摺の掴み替え位置に到達して手摺の掴み替えを要することが視覚的に呼びかけられる。これにより、上記両者の相互隣接部において踏板上の乗客に手摺の掴み替えを積極的に促すことができ、乗客が上記両者の相互隣接部に気付かず低速手摺又は高速手摺を掴み続けて上記両者の開口部に手が引き込まれたり、バランスを崩したりする不具合の発生を未然に防止する効果がある。
【図面の簡単な説明】
【図１】この発明の実施の形態１を示す図で、移動歩道からなる乗客コンベヤーを概念的に示す平面図。
【図２】図１の正面図。
【図３】図２のＡ部拡大図。
【図４】この発明の実施の形態２を示す図で、前述の図３の平面図に相当する図。
【図５】この発明の実施の形態３を示す図で、前述の図３相当図。
【符号の説明】
１  主枠、２  乗降口、４  乗降口部欄干、５  中間欄干、６  低速手摺、７高速手摺、８  注意喚起体、１１  固定体、１２  注意喚起体、１３  注意喚起体、１４  固定体、１５  光源体。
【図１】
2004203560.tif 000003
【図２】
2004203560.tif 000004
【図３】
2004203560.tif 000005
【図４】
2004203560.tif 000006
【図５】
2004203560.tif 000007